(57)【要約】【課題】視聴時の環境及び視聴者の行動に応じて字幕データの表示形式を調整し、見易くかつ放送番組の雰囲気を損なわない字幕を視聴者に提示する情報受信・再生装置を提供する。【解決手段】放送信号に多重化された字幕データを字幕データデコーダ１０３でデコードして制御部１０６へ出力する一方、環境情報入力部１０４で検出した周囲の環境データ（明るさや騒音レベルなど）を制御部１０６で参照して、字幕の表示形式（表示位置、文字サイズ、文字色など）を調整して、表示処理部１０７に出力し、映像信号処理部１０２で処理された放送番組の映像情報とＯＳＤ合成して映像出力部１０９で表示する。更に、環境データとして視聴者の行動（情報受信・再生装置との距離や視聴角度など）を用いて、及び／又は、放送番組のメタデータを用いて、字幕の表示形式を調整することも可能とする。更に、放送番組の音声情報及び／又は映像情報の出力形式も調整可能とする。【選択図】図１
2006005418.tif 000002
【特許請求の範囲】
【請求項１】
放送信号を受信して再生する情報受信・再生装置において、放送信号に多重化されている字幕データをデコードする字幕データデコード手段と、当該情報受信・再生装置が設置されている設置場所周辺の視聴環境状況を示す環境データを取得する環境データ取得手段と、を備えた情報受信・再生装置において、前記環境データ取得手段により取得された前記環境データに応じて、デコードされた前記字幕データの表示形式を調整して表示することを特徴とする情報受信・再生装置。
【請求項２】
請求項１に記載の情報受信・再生装置において、前記環境データ取得手段により取得された前記環境データとして、当該情報受信・再生装置が設置されている設置場所の明るさを示す環境明るさデータ、及び／又は、当該情報受信・再生装置が設置されている設置場所の騒音レベルを示す環境騒音データを含むことを特徴とする情報受信・再生装置。
【請求項３】
請求項２に記載の情報受信・再生装置において、前記環境明るさデータとして、当該情報受信・再生装置が設置されている設置場所の照度、当該情報受信・再生装置の画面の輝度に関する情報のいずれか１乃至複数を含むことを特徴とする情報受信・再生装置。
【請求項４】
請求項２又は３に記載の情報受信・再生装置において、前記環境騒音データとして、当該情報受信・再生装置が設置されている設置場所の内外に存在する騒音源が発出する騒音、視聴者を含む人の話し声による雑音に関する情報のいずれか１乃至複数を含むことを特徴とする情報受信・再生装置。
【請求項５】
請求項１乃至４のいずれかに記載の情報受信・再生装置において、前記環境データ取得手段により取得された前記環境データとして、視聴者の行動を示す視聴行動データを含み、該視聴行動データと、当該情報受信・再生装置が設定されている設置場所の明るさを示す環境明るさデータと、該設置場所の騒音レベルを示す環境騒音データとのいずれか１乃至複数のデータに応じて、デコードされた前記字幕データの表示形式を調整して表示することを特徴とする情報受信・再生装置。
【請求項６】
請求項５に記載の情報受信・再生装置において、前記視聴行動データとして、視聴者の視聴位置、視聴者の視聴姿勢、視聴者の動きに関する情報のいずれか１乃至複数を含むことを特徴とする情報受信・再生装置。
【請求項７】
請求項６に記載の情報受信・再生装置において、視聴者の前記視聴位置として、該視聴者が視聴している当該情報受信・再生装置との間の距離、当該情報受信・再生装置に対する視聴角度のいずれか１乃至複数を含むことを特徴とする情報受信・再生装置。
【請求項８】
請求項６に記載の情報受信・再生装置において、視聴者の前記視聴姿勢として、視聴している視聴者が座って視聴しているか、立って視聴しているか、寝転んで視聴しているかを示す情報を含むことを特徴とする情報受信・再生装置。
【請求項９】
請求項６に記載の情報受信・再生装置において、視聴者の前記動きとして、視聴者が静止して視聴しているか、動きながら視聴しているかを示す情報を含むことを特徴とする情報受信・再生装置。
【請求項１０】
請求項１乃至９のいずれかに記載の情報受信・再生装置において、調整される前記字幕データの表示形式として、画面上の表示位置、文字の種類、文字の大きさ、文字の線の太さ、文字の色合い、文字の影、文字の背景色、文字のコントラスト、文字のブライトネス、文字のシャープネスのいずれか１乃至複数を含むことを特徴とする情報受信・再生装置。
【請求項１１】
請求項１乃至１０のいずれかに記載の情報受信・再生装置において、前記字幕データの表示形式を調整して表示する際に、調整された表示形式を用いて前記字幕データを表示するか否かの問い合わせメッセージを出力することを特徴とする情報受信・再生装置。
【請求項１２】
請求項１乃至１１のいずれかに記載の情報受信・再生装置において、更に、放送番組の番組情報を示すメタデータを取得するメタデータ取得手段を備え、該メタデータ取得手段により取得された前記メタデータ及び／又は前記環境データに応じて、デコードされた前記字幕データの表示形式を調整して表示することを特徴とする情報受信・再生装置。
【請求項１３】
請求項１乃至１１のいずれかに記載の情報受信・再生装置において、前記環境データ取得手段により取得された前記環境データに応じて、前記字幕データの表示形式、及び／又は、放送番組の音声情報の出力形式及び／又は放送番組の映像情報の表示形式を調整して表示することを特徴とする情報受信・再生装置。
【請求項１４】
請求項１３に記載の情報受信・再生装置において、更に、放送番組の番組情報を示すメタデータを取得するメタデータ取得手段を備え、前記環境データ取得手段により取得された前記環境データ、及び／又は、前記メタデータ取得手段により取得された前記メタデータに応じて、前記字幕データの表示形式、及び／又は、放送番組の音声情報の出力形式及び／又は放送番組の映像情報の表示形式を調整して表示することを特徴とする情報受信・再生装置。
【請求項１５】
請求項１３又は１４に記載の情報受信・再生装置において、調整される放送番組の前記音声情報の出力形式として、音声情報の音量レベル、音質、周波数スペクトルのいずれか１乃至複数を含むことを特徴とする情報受信・再生装置。
【請求項１６】
請求項１３又は１４に記載の情報受信・再生装置において、調整される放送番組の前記映像情報の表示形式として、映像情報の表示位置、表示サイズ、色合い、解像度、輝度のいずれか１乃至複数を含むことを特徴とする情報受信・再生装置。
【請求項１７】
請求項１３乃至１６のいずれかに記載の情報受信・再生装置において、前記字幕データの表示形式を調整して表示する際に、調整された表示形式を用いて前記字幕データを表示するか否か、及び／又は、調整された出力形式を用いて放送番組の前記音声情報を出力するか否か、及び／又は、調整された表示形式を用いて放送番組の前記映像情報を表示するか否か、の問い合わせメッセージを出力することを特徴とする情報受信・再生装置。
【請求項１８】
放送信号を受信して再生する情報受信・再生装置において、放送信号に多重化されている字幕データをデコードする字幕データデコード手段と、放送番組の番組情報を示すメタデータを取得するメタデータ取得手段と、を備えた情報受信・再生装置において、前記メタデータ取得手段により取得された前記メタデータに応じて、デコードされた前記字幕データの表示形式を調整して表示することを特徴とする情報受信・再生装置。
【請求項１９】
請求項１８に記載の情報受信・再生装置において、前記メタデータ取得手段により取得された前記メタデータとして、放送番組のタイトル，放送番組識別ＩＤ，放送番組ジャンル，放送番組内容，放送番組の編成情報，放送番組制作日，放送番組の放送時間，放送番組制作者，放送番組演出者，放送番組出演者、及び、放送番組権利関連情報を含む放送番組に関するデータのうち、いずれか１乃至複数を含むことを特徴とする情報受信・再生装置。
【請求項２０】
請求項１８又は１９に記載の情報受信・再生装置において、調整される前記字幕データの表示形式として、画面上の表示位置、文字の種類、文字の大きさ、文字の線の太さ、文字の色合い、文字の影、文字の背景色、文字のコントラスト、文字のブライトネス、文字のシャープネスのいずれか１乃至複数を含むことを特徴とする情報受信・再生装置。
【請求項２１】
請求項１８乃至２０のいずれかに記載の情報受信・再生装置において、前記字幕データの表示形式を調整して表示する際に、調整された表示形式を用いて前記字幕データを表示するか否かの問い合わせメッセージを出力することを特徴とする情報受信・再生装置。
【請求項２２】
請求項１８乃至２１のいずれかに記載の情報受信・再生装置において、前記メタデータ取得手段により取得された前記メタデータに応じて、前記字幕データの表示形式と共に、更に、放送番組の音声情報の出力形式及び／又は放送番組の映像情報の表示形式を調整して表示することを特徴とする情報受信・再生装置。
【請求項２３】
請求項２２に記載の情報受信・再生装置において、調整される放送番組の前記音声情報の出力形式として、音声情報の音量レベル、音質、周波数スペクトルのいずれか１乃至複数を含むことを特徴とする情報受信・再生装置。
【請求項２４】
請求項２２に記載の情報受信・再生装置において、調整される放送番組の前記映像情報の表示形式として、映像情報の表示位置、表示サイズ、色合い、解像度、輝度のいずれか１乃至複数を含むことを特徴とする情報受信・再生装置。
【請求項２５】
請求項２２乃至２４のいずれかに記載の情報受信・再生装置において、前記字幕データの表示形式を調整して表示する際に、調整された表示形式を用いて前記字幕データを表示するか否か、及び／又は、調整された出力形式を用いて放送番組の前記音声情報を出力するか否か、及び／又は、調整された表示形式を用いて放送番組の前記映像情報を表示するか否か、の問い合わせメッセージを出力することを特徴とする情報受信・再生装置。
【請求項２６】
放送信号に多重化されている字幕データをデコードする字幕データデコードステップと、放送信号を受信して再生する情報受信・再生装置が設置されている設置場所周辺の視聴環境状況を示す環境データを取得する環境データ取得ステップ及び／又は放送番組の番組情報を示すメタデータを取得するメタデータ取得ステップと、を有し、前記環境データ取得ステップにより取得された前記環境データ及び／又は前記メタデータ取得ステップにより取得された前記メタデータに応じて、デコードされた前記字幕データの表示形式を調整して表示することを特徴とする情報受信・再生方法。
【請求項２７】
放送信号に多重化されている字幕データをデコードする字幕データデコードステップと、放送信号を受信して再生する情報受信・再生装置が設置されている設置場所周辺の視聴環境状況を示す環境データを取得する環境データ取得ステップ及び／又は放送番組の番組情報を示すメタデータを取得するメタデータ取得ステップと、を有し、前記環境データ取得ステップにより取得された前記環境データ及び／又は前記メタデータ取得ステップにより取得された前記メタデータに応じて、デコードされた前記字幕データの表示形式を調整して表示することを特徴とする情報受信・再生プログラム。
【請求項２８】
放送信号に多重化されている字幕データをデコードする字幕データデコードステップと、放送信号を受信して再生する情報受信・再生装置が設置されている設置場所周辺の視聴環境状況を示す環境データを取得する環境データ取得ステップ及び／又は放送番組の番組情報を示すメタデータを取得するメタデータ取得ステップと、を有し、前記環境データ取得ステップにより取得された前記環境データ及び／又は前記メタデータ取得ステップにより取得された前記メタデータに応じて、デコードされた前記字幕データの表示形式を調整して表示する情報受信・再生プログラムを格納していることを特徴とするコンピュータ読み取り可能なプログラム記録媒体。
【発明の詳細な説明】
【技術分野】
【０００１】
本発明は、情報受信・再生装置、情報受信・再生方法、情報受信・再生プログラム及びプログラム記録媒体に関し、特に、テレビ放送などの字幕放送を受信・記録し、再生する放送受信機などの情報受信・再生装置、情報受信・再生方法、情報受信・再生プログラム及びプログラム記録媒体であって、字幕データ（クローズドキャプションデータ）を見易く視聴者に提示するための情報受信・再生装置、情報受信・再生方法、情報受信・再生プログラム及びプログラム記録媒体に関する。
【背景技術】
【０００２】
現在、字幕データは、製作者側で予め決めた言語と大きさ、種類に基づいて作成された情報として送信されてくるために、送信されてきた該字幕データを視聴する視聴者にとっては、文字が見づらかったりする。そこで、これまでに、視聴者の嗜好に適合する形態にして字幕データを提示するために、種々の方法が提案されている。
【０００３】
例えば、特許文献１に示す特開平６−１６５０７３号公報「キャプションデコーダ内蔵テレビジョン受像機」においては、視聴者の操作の手間を省いて操作性を向上させるために、消音時に自動的に字幕機能を起動する方法が提案されている。
また、特許文献２に示す特開平９−２３１７２６号公報「多種言語記録媒体とその再生装置」においては、通常の字幕の他に、これと同一言語で、更に見易い大文字や、子供向けの読み易い文字、更には、解説文字等を任意に選択表示できるようにする方法が提案されている。
また、特許文献３に示す特開２００２−１４２１５９号公報「デジタル放送受信機及び個人情報蓄積媒体」においては、個人毎に所望する画面構成、画質、音質、字幕表示、周辺機器接続などの初期設定項目や各個人のプロファイルや視聴履歴などの個人情報が蓄積された個人情報蓄積カードを受信機に差し込むことにより、該受信機が個人情報蓄積カードにより特定された個人向けの番組を選択編成して視聴者に提示する方法が提案されている。
【特許文献１】特開平６−１６５０７３号公報
【特許文献２】特開平９−２３１７２６号公報
【特許文献３】特開２００２−１４２１５９号公報
【発明の開示】
【発明が解決しようとする課題】
【０００４】
前記特許文献２及び特許文献３には、各視聴者の個人の好みに応じて、字幕の大きさ、表示位置等を見易く変更する方法が記載されている。しかしながら、字幕の読み易さは、個人の好みだけでなく、放送受信機などの情報受信・再生装置が設置されている設置場所周辺の視聴環境状況例えば視聴時における部屋の明るさや騒音などのような視聴環境、あるいは、視聴者の姿勢（座って視聴している、立って視聴している、寝転んで視聴しているなど）や位置（情報受信・再生装置からの距離、視聴角度など）やあるいは視聴者の動き（静止して視聴している、動きながら視聴している）などのような視聴行動によっても変化する。一方、前記特許文献１に記載の技術は、視聴者が消音操作を行った時のみにおいて字幕を自動的に表示するものであり、視聴者が字幕を読み易い状況に維持されているとは言えない。
【０００５】
本発明は、かかる事情に鑑みてなされたものであり、字幕データ（クローズドキャプションデータ）を受信して再生する放送受信機などの情報受信・再生装置において、視聴環境（視聴する部屋の明るさや騒音など）及び／又は視聴者の視聴行動（視聴しているときの視聴者の姿勢や位置や動きなど）及び／又は番組情報を示すメタデータに応じて、自動的に字幕データを見易く調整して、提示することを目的とする。
【課題を解決するための手段】
【０００６】
第１の技術手段は、放送信号を受信して再生する情報受信・再生装置において、放送信号に多重化されている字幕データをデコードする字幕データデコード手段と、当該情報受信・再生装置が設置されている設置場所周辺の視聴環境状況を示す環境データを取得する環境データ取得手段と、を備えた情報受信・再生装置において、前記環境データ取得手段により取得された前記環境データに応じて、デコードされた前記字幕データの表示形式を調整して表示することを特徴とする。
【０００７】
第２の技術手段は、前記第１の技術手段に記載の情報受信・再生装置において、前記環境データ取得手段により取得された前記環境データとして、当該情報受信・再生装置が設置されている設置場所の明るさを示す環境明るさデータ、及び／又は、当該情報受信・再生装置が設置されている設置場所の騒音レベルを示す環境騒音データを含むことを特徴とする。
【０００８】
第３の技術手段は、前記第２の技術手段に記載の情報受信・再生装置において、前記環境明るさデータとして、当該情報受信・再生装置が設置されている設置場所の照度、当該情報受信・再生装置の画面の輝度に関する情報のいずれか１乃至複数を含むことを特徴とする。
【０００９】
第４の技術手段は、前記第２又は第３の技術手段に記載の情報受信・再生装置において、前記環境騒音データとして、当該情報受信・再生装置が設置されている設置場所の内外に存在する騒音源が発出する騒音、視聴者を含む人の話し声による雑音に関する情報のいずれか１乃至複数を含むことを特徴とする。
【００１０】
第５の技術手段は、前記第１乃至第４の技術手段のいずれかに記載の情報受信・再生装置において、前記環境データ取得手段により取得された前記環境データとして、視聴者の行動を示す視聴行動データを含み、該視聴行動データと、当該情報受信・再生装置が設定されている設置場所の明るさを示す環境明るさデータと、該設置場所の騒音レベルを示す環境騒音データとのいずれか１乃至複数のデータに応じて、デコードされた前記字幕データの表示形式を調整して表示することを特徴とする。
【００１１】
第６の技術手段は、前記第５の技術手段に記載の情報受信・再生装置において、前記視聴行動データとして、視聴者の視聴位置、視聴者の視聴姿勢、視聴者の動きに関する情報のいずれか１乃至複数を含むことを特徴とする。
【００１２】
第７の技術手段は、前記第６の技術手段に記載の情報受信・再生装置において、視聴者の前記視聴位置として、該視聴者が視聴している当該情報受信・再生装置との間の距離、当該情報受信・再生装置に対する視聴角度のいずれか１乃至複数を含むことを特徴とする。
【００１３】
第８の技術手段は、前記第６の技術手段に記載の情報受信・再生装置において、視聴者の前記視聴姿勢として、視聴している視聴者が座って視聴しているか、立って視聴しているか、寝転んで視聴しているかを示す情報を含むことを特徴とする。
【００１４】
第９の技術手段は、前記第６の技術手段に記載の情報受信・再生装置において、視聴者の前記動きとして、視聴者が静止して視聴しているか、動きながら視聴しているかを示す情報を含むことを特徴とする。
【００１５】
第１０の技術手段は、前記第１乃至第９の技術手段のいずれかに記載の情報受信・再生装置において、調整される前記字幕データの表示形式として、画面上の表示位置、文字の種類、文字の大きさ、文字の線の太さ、文字の色合い、文字の影、文字の背景色、文字のコントラスト、文字のブライトネス、文字のシャープネスのいずれか１乃至複数を含むことを特徴とする。
【００１６】
第１１の技術手段は、前記第１乃至第１０の技術手段のいずれかに記載の情報受信・再生装置において、前記字幕データの表示形式を調整して表示する際に、調整された表示形式を用いて前記字幕データを表示するか否かの問い合わせメッセージを出力することを特徴とする。
【００１７】
第１２の技術手段は、前記第１乃至第１１の技術手段のいずれかに記載の情報受信・再生装置において、更に、放送番組の番組情報を示すメタデータを取得するメタデータ取得手段を備え、該メタデータ取得手段により取得された前記メタデータ及び／又は前記環境データに応じて、デコードされた前記字幕データの表示形式を調整して表示することを特徴とする。
【００１８】
第１３の技術手段は、前記第１乃至第１１の技術手段のいずれかに記載の情報受信・再生装置において、前記環境データ取得手段により取得された前記環境データに応じて、前記字幕データの表示形式、及び／又は、放送番組の音声情報の出力形式及び／又は放送番組の映像情報の表示形式を調整して表示することを特徴とする。
【００１９】
第１４の技術手段は、前記第１３の技術手段のいずれかに記載の情報受信・再生装置において、更に、放送番組の番組情報を示すメタデータを取得するメタデータ取得手段を備え、前記環境データ取得手段により取得された前記環境データ、及び／又は、前記メタデータ取得手段により取得された前記メタデータに応じて、前記字幕データの表示形式、及び／又は、放送番組の音声情報の出力形式及び／又は放送番組の映像情報の表示形式を調整して表示することを特徴とする。
【００２０】
第１５の技術手段は、前記第１３又は第１４の技術手段に記載の情報受信・再生装置において、調整される放送番組の前記音声情報の出力形式として、音声情報の音量レベル、音質、周波数スペクトルのいずれか１乃至複数を含むことを特徴とする。
【００２１】
第１６の技術手段は、前記第１３又は第１４の技術手段に記載の情報受信・再生装置において、調整される放送番組の前記映像情報の表示形式として、映像情報の表示位置、表示サイズ、色合い、解像度、輝度のいずれか１乃至複数を含むことを特徴とする。
【００２２】
第１７の技術手段は、前記第１３乃至第１６の技術手段のいずれかに記載の情報受信・再生装置において、前記字幕データの表示形式を調整して表示する際に、調整された表示形式を用いて前記字幕データを表示するか否か、及び／又は、調整された出力形式を用いて放送番組の前記音声情報を出力するか否か、及び／又は、調整された表示形式を用いて放送番組の前記映像情報を表示するか否か、の問い合わせメッセージを出力することを特徴とする。
【００２３】
第１８の技術手段は、放送信号を受信して再生する情報受信・再生装置において、放送信号に多重化されている字幕データをデコードする字幕データデコード手段と、放送番組の番組情報を示すメタデータを取得するメタデータ取得手段と、を備えた情報受信・再生装置において、前記メタデータ取得手段により取得された前記メタデータに応じて、デコードされた前記字幕データの表示形式を調整して表示することを特徴とする。
【００２４】
第１９の技術手段は、前記第１８の技術手段に記載の情報受信・再生装置において、前記メタデータ取得手段により取得された前記メタデータとして、放送番組のタイトル，放送番組識別ＩＤ，放送番組ジャンル，放送番組内容，放送番組の編成情報，放送番組制作日，放送番組の放送時間，放送番組制作者，放送番組演出者，放送番組出演者、及び、放送番組権利関連情報を含む放送番組に関するデータのうち、いずれか１乃至複数を含むことを特徴とする。
【００２５】
第２０の技術手段は、前記第１８又は第１９の技術手段に記載の情報受信・再生装置において、調整される前記字幕データの表示形式として、画面上の表示位置、文字の種類、文字の大きさ、文字の線の太さ、文字の色合い、文字の影、文字の背景色、文字のコントラスト、文字のブライトネス、文字のシャープネスのいずれか１乃至複数を含むことを特徴とする。
【００２６】
第２１の技術手段は、前記第１８乃至第２０の技術手段のいずれかに記載の情報受信・再生装置において、前記字幕データの表示形式を調整して表示する際に、調整された表示形式を用いて前記字幕データを表示するか否かの問い合わせメッセージを出力することを特徴とする。
【００２７】
第２２の技術手段は、前記第１８乃至第２１の技術手段のいずれかに記載の情報受信・再生装置において、前記メタデータ取得手段により取得された前記メタデータに応じて、前記字幕データの表示形式と共に、更に、放送番組の音声情報の出力形式及び／又は放送番組の映像情報の表示形式を調整して表示することを特徴とする。
【００２８】
第２３の技術手段は、前記第２２の技術手段に記載の情報受信・再生装置において、調整される放送番組の前記音声情報の出力形式として、音声情報の音量レベル、音質、周波数スペクトルのいずれか１乃至複数を含むことを特徴とする。
【００２９】
第２４の技術手段は、前記第２２の技術手段に記載の情報受信・再生装置において、調整される放送番組の前記映像情報の表示形式として、映像情報の表示位置、表示サイズ、色合い、解像度、輝度のいずれか１乃至複数を含むことを特徴とする。
【００３０】
第２５の技術手段は、前記第２２乃至第２４の技術手段のいずれかに記載の情報受信・再生装置において、前記字幕データの表示形式を調整して表示する際に、調整された表示形式を用いて前記字幕データを表示するか否か、及び／又は、調整された出力形式を用いて放送番組の前記音声情報を出力するか否か、及び／又は、調整された表示形式を用いて放送番組の前記映像情報を表示するか否か、の問い合わせメッセージを出力することを特徴とする。
【００３１】
第２６の技術手段は、放送信号に多重化されている字幕データをデコードする字幕データデコードステップと、放送信号を受信して再生する情報受信・再生装置が設置されている設置場所周辺の視聴環境状況を示す環境データを取得する環境データ取得ステップ及び／又は放送番組の番組情報を示すメタデータを取得するメタデータ取得ステップと、を有し、前記環境データ取得ステップにより取得された前記環境データ及び／又は前記メタデータ取得ステップにより取得された前記メタデータに応じて、デコードされた前記字幕データの表示形式を調整して表示する情報受信・再生方法とすることを特徴とする。
【００３２】
第２７の技術手段は、放送信号に多重化されている字幕データをデコードする字幕データデコードステップと、放送信号を受信して再生する情報受信・再生装置が設置されている設置場所周辺の視聴環境状況を示す環境データを取得する環境データ取得ステップ及び／又は放送番組の番組情報を示すメタデータを取得するメタデータ取得ステップと、を有し、前記環境データ取得ステップにより取得された前記環境データ及び／又は前記メタデータ取得ステップにより取得された前記メタデータに応じて、デコードされた前記字幕データの表示形式を調整して表示する情報受信・再生プログラムとすることを特徴とする。
【００３３】
第２８の技術手段は、放送信号に多重化されている字幕データをデコードする字幕データデコードステップと、放送信号を受信して再生する情報受信・再生装置が設置されている設置場所周辺の視聴環境状況を示す環境データを取得する環境データ取得ステップ及び／又は放送番組の番組情報を示すメタデータを取得するメタデータ取得ステップと、を有し、前記環境データ取得ステップにより取得された前記環境データ及び／又は前記メタデータ取得ステップにより取得された前記メタデータに応じて、デコードされた前記字幕データの表示形式を調整して表示する情報受信・再生プログラムを格納しているコンピュータ読み取り可能なプログラム記録媒体とすることを特徴とする。
【発明の効果】
【００３４】
以上のごとき各技術手段から構成される本発明によれば、以下のような効果が得られる。
（１）視聴者の視聴時における周囲の環境（情報受信・再生装置が設置されている設置場所の明るさ（照度）、騒音など）に応じて、字幕の表示形式（画面上の表示位置、文字の種類、文字の大きさ、文字の線の太さ、文字の色合い、文字の影、文字の背景色、文字のコントラスト、文字のブライトネス、文字のシャープネスのいずれか１乃至複数を含む表示形式）を自動的に調整可能であり、視聴者にとって読み易い字幕を提示することができる。
【００３５】
（２）また、視聴者の位置（視聴者と情報受信・再生装置との間の距離、視聴角度など）、視聴者の動き（静止して視聴しているなど）あるいは視聴者の視聴姿勢（座って視聴しているなど）の視聴者の行動に応じて、字幕の表示形式を自動的に調整可能であり、視聴者にとって更に読み易い字幕を提示することができる。
【００３６】
（３）視聴者の視聴時における周囲の環境及び／又は視聴者の行動に応じて、字幕の表示形式のみならず、必要に応じて、コンテンツ（放送番組）の映像情報の表示形式及び／又は音声情報の出力形式も自動的に調整可能であり、視聴者にとって読み易い字幕を提示することができるのみならず、視聴し易いコンテンツ（放送番組）を提示することができ、より便利な情報受信・再生装置を提供することができる。
【００３７】
（４）コンテンツ（放送番組）の内容やジャンルなどの情報を含むメタデータに応じて、字幕の表示形式のみならず、必要に応じて、コンテンツ（放送番組）の映像情報の表示形式（映像情報の表示位置、表示サイズ、色合い、解像度、輝度のいずれか１乃至複数を含む表示形式）、及び／又は、音声情報の出力形式（音量レベル、音質、周波数スペクトルのいずれか１乃至複数を含む出力形式）も自動的に調整可能であり、読み易くかつコンテンツ（放送番組）の雰囲気を損ねない字幕を表示することができると共に、視聴し易くかつコンテンツ（放送番組）の雰囲気を助長可能な映像情報及び／又は音声情報を提示することができる。
【発明を実施するための最良の形態】
【００３８】
本発明は、字幕データを読み易く、また、コンテンツ（放送番組）の雰囲気を損なうことがない放送受信機などの情報受信・再生装置、該情報受信・再生装置に適用する情報受信・再生方法、該情報受信・再生装置上で動作する情報受信・再生プログラム、及び、該情報受信・再生プログラムを格納するプログラム記録媒体に係るものであるが、以下の実施の形態の説明においては、主に、情報受信・再生装置について説明することとする。但し、以下の説明により、本発明に係る情報受信・再生方法、情報受信・再生プログラム及びプログラム記録媒体についても容易に理解することができることは明らかである。
【００３９】
（情報受信・再生装置の基本構成）
図１は、本発明に係る情報受信・再生装置の基本構成の一例を示すブロック構成図であり、前述した課題を解決する第１の実施例を説明するためのものである。
【００４０】
図１のブロック構成図において、情報受信・再生装置１０は、音声信号処理部１０１、映像信号処理部１０２、字幕データデコーダ１０３、環境情報入力部１０４、環境データ処理部１０５、制御部１０６、表示処理部１０７、音声出力部１０８、及び、映像出力部１０９を備えている。音声信号は、音声信号処理部１０１で音声出力レベルなどを制御して、スピーカなどの音声出力部１０８から出力する。映像信号は、映像信号処理部１０２で処理され、表示形式を制御して、テレビ画面表示用の信号として分離出力して、表示処理部１０７を介して映像出力部１０９から出力する。
【００４１】
また、字幕データデコーダ１０３は、放送信号に多重化されている字幕データ（クローズドキャプションデータ）を取り出してデコードする。環境情報入力部１０４は、当該情報受信・再生装置１０が設置されている設置場所の視聴環境状況即ち視聴者の周囲の環境（例えば明るさや騒音など）を環境データとして検出する手段であり、カメラやマイク、センサー等から成っている。環境データ処理部１０５は、環境情報入力部１０４から入力される環境データを認識処理して、制御部１０６に出力する。制御部１０６は、字幕データデコーダ１０３において放送信号から取り出されてデコードされた字幕データを、環境データ処理部１０５から入力される環境データに基づいて調整し、表示処理部１０７に対して出力する。
【００４２】
（ハードウエアの具体例）
図２は、図１に示した本発明に係る情報受信・再生装置１０の具体的なシステム構成の一例を示すブロック構成図であり、図１の各回路ブロックをそれぞれのハードウェア論理として構成する代わりに、情報受信・再生処理プログラムを用いたソフトウェア論理により構成する場合を例示している。
【００４３】
図２の情報受信・再生装置１０において、ＣＰＵ１は、内蔵のシステムプログラムに従って情報受信・再生装置１０のシステム全体の制御を行う他、情報受信・再生処理プログラムを実行して、受信部９で受信した情報を処理して、ワークメモリ２上に処理結果を作成する。入力部３は、図１に示す環境情報入力部１０４に対応しており、入力部３から入力した環境情報信号は、ＣＰＵ１において、図１に示す環境データ処理部１０５に相当する処理プログラムにより処理されて、データベース４に環境データとして格納される。
【００４４】
表示部５は、視聴者からのリモコン操作などの指示やデータベース４に格納された環境データなどに基づいて、表示方法（画面表示形式や表示解像度、輝度など）が制御された状態で、テレビ画面表示用の映像信号を出力すると共に、データベース４に格納された各種情報やＣＰＵ１の演算処理結果を表示する。音声出力部６は、視聴者からのリモコン操作などの指示やデータベース４に格納された環境データなどに基づいて、出力方法（出力音量レベルや音質など）が制御された状態で音声信号を出力する。外部記憶ドライブ７は、ＣＰＵ１で実行される情報受信・再生処理プログラムを記録した外部記憶（記録媒体）８の読み取り装置である。
【００４５】
受信部９は、図１に示す音声信号処理部１０１や映像信号処理部１０２や字幕データデコーダ１０３に対応しており、受信した音声信号は、出力方法を調整して音声出力部６へ出力し、受信した映像信号は、テレビ画面表示用の映像情報と字幕データとに分離されて、テレビ画面表示用の信号は、表示方法を調整して表示部５の表示処理部を介して映像出力部へ出力し、字幕データは、ＣＰＵ１にて情報受信・再生処理プログラムの動作に従って処理されて、表示部５の表示処理部へ出力される。
【００４６】
以上のごとく、図１に示す基本構成と図２に示す具体的な回路ブロックとの対応関係について更に付言すれば、次の通りである。図１に示す制御部１０６は、図２のＣＰＵ１、ワークメモリ２、内蔵のＲＯＭに格納されているシステムプログラム、及び、ワークメモリ２及び／又はＲＯＭに格納されている情報受信・再生処理プログラムの一部に相当しており、図１に示す音声信号処理部１０１、映像信号処理部１０２、字幕データデコーダ１０３は、図２の受信部９や、該受信部９の動作を制御するために、ワークメモリ２及び／又はＲＯＭに格納されている情報受信・再生処理プログラムの一部に相当し、該情報受信・再生処理プログラムは、システムプログラムの制御に従ってＣＰＵ１で動作するように構成されている。
【００４７】
また、図１の環境情報入力部１０４は、図２の入力部３や、該入力部３の動作を制御するために、ワークメモリ２及び／又はＲＯＭに格納されている情報受信・再生処理プログラムの一部に相当しており、また、図１の環境データ処理部１０５は、ワークメモリ２及び／又はＲＯＭに格納されている情報受信・再生処理プログラムの一部に相当し、図２の入力部３から入力されてきた環境データを処理するために、システムプログラムの制御に従ってＣＰＵ１で動作する。
【００４８】
また、図１の表示処理部１０７は、図２の表示部５や、該表示部５の動作を制御するために、ワークメモリ２及び／又はＲＯＭに格納されている情報受信・再生処理プログラムの一部に相当し、該情報受信・再生処理プログラムは、システムプログラムの制御に従ってＣＰＵ１で動作し、テレビ画面表示用の映像情報上に、処理した字幕データをＯＳＤ（Ｏｎ  Ｓｃｒｅｅｎ  Ｄｉｓｐｌａｙ）表示するために、表示部５の動作を制御する。
【００４９】
また、図１の映像出力部１０８は、図２の表示部５や、該表示部５の動作を制御するために、ワークメモリ２及び／又はＲＯＭに格納されている情報受信・再生処理プログラムの一部に相当し、該情報受信・再生処理プログラムは、システムプログラムの制御に従ってＣＰＵ１で動作し、受信部９で受信したテレビ画面表示用の映像情報と字幕データとを適切に画面表示するように、表示部５の動作を制御する。また、図１の音声出力部１０８は、図２の音声出力部６や、該音声出力部６の動作を制御するために、ワークメモリ２及び／又はＲＯＭに格納されている情報受信・再生処理プログラムの一部に相当し、該情報受信・再生処理プログラムは、システムプログラムの制御に従ってＣＰＵ１で動作し、受信部９で受信した音声情報を適切に出力するように、音声出力部６の動作を制御する。
【００５０】
以下に、更に、図２に示す情報受信・再生装置１０の各回路ブロックについて説明する。
ＣＰＵ１は、前述のように、情報受信・再生装置１０全体の制御を行う制御部であり、内蔵のシステムプログラムの動作に従い、演算に使用するデータを記憶したワークメモリ２を使用して各種の演算処理を行うと共に、情報受信・再生処理プログラムを実行して、受信部８で受信した情報を処理して、ワークメモリ２上に処理結果を作成する。
【００５１】
ワーキングメモリ２は、文字表示に関するデータや演算に使用するデータ及び演算結果等を一時的に記憶するいわゆる作業用のメモリであり、ＣＰＵ１により実行されるプログラムや、該プログラムにおいて利用されるデータやプログラム処理結果等を格納する。なお、該プログラムのうち、変更の可能性が低い一部のプログラムは、システムプログラムと同様に、図示していないＲＯＭに格納するようにしても良い。
【００５２】
また、ワーキングメモリ２として用いられるＲＡＭの一部の記憶領域は、電源バックアップされているか、あるいは、ＥＥＰＲＯＭ  （Ｅｌｅｃｔｒｉｃａｌｌｙ  Ｅｒａｓａｂｌｅ  Ｐｒｏｇｒａｍｍａｂｌｅ  ＲＯＭ）やフラッシュメモリ等の不揮発性メモリにより構成されて、電源ＯＦＦの状態にあっても、記憶内容をそのまま保持する。この不揮発性の記憶領域には、電源ＯＦＦであっても、記憶内容を保持する必要がある各種設定データや処理データやプログラム等が格納される。
【００５３】
入力部３は、当該情報受信・再生装置１０が設置されている設置場所周辺の視聴環境情報（明るさ、騒音、時間など）や、当該情報受信・再生装置１０を視聴する視聴者の姿勢（座って視聴している、立って視聴している、寝転んで視聴しているなど）や、動き（じっと静止して視聴している、動きながら視聴しているなど）、位置（テレビ受像機即ち情報受信・再生装置１０からの距離、視聴角度など）を入力するための装置であり、カメラやマイク、明るさセンサーや位置センサーなどの装置により構成されている。
【００５４】
表示部５は、例えばドットマトリックス構成の液晶表示装置（ＬＣＤ）等であり、受信部９で受信処理されたテレビ画面表示用の映像情報、データベース４に格納されている各種情報、ＣＰＵ１における演算処理結果等を表示する。
音声出力部６は、例えばスピーカやイアホーン等であり、受信部９で受信処理された音声信号を出力する。
【００５５】
外部記憶ドライブ７は、情報受信・再生処理プログラム等を含む各種情報を記憶した外部記憶（記録媒体）８の読み取り装置であり、外部記憶（記録媒体）８は、例えば、各種のメモリカード、ＦＤ（Ｆｌｅｘｉｂｌｅ  Ｄｉｓｋ）、ＣＤ−ＲＯＭ（Ｃｏｍｐａｃｔ  Ｄｉｓｋ−ＲＯＭ）等の記録媒体からなっている。ここで、外部記憶（記録媒体）８には、後述するような各種の情報受信・再生機能を実現するための情報受信・再生処理プログラム等を含め、各種の情報が記憶されており、外部記憶ドライブ７に装着することにより外部記憶（記録媒体）８に格納されている各種の情報が読み取られて、ワークメモリ２などに格納される。
【００５６】
（実施例１）
次に、図１の基本構成を参照しながら、本発明に係る情報受信・再生装置１０の動作に関する実施例１について説明する。
字幕データ（クローズドキャプションデータ）は、前述したように、現在、製作者側で予め決めた言語と大きさと種類とによって固定的に表示されるものであり、該字幕データを視聴する視聴者にとっては、いつも読み易い状態にあるとは言えない。
【００５７】
例えば、人間の目は、周りが暗ければ、より多くの光を取り入れようとして瞳孔を大きく開くようになる。即ち、部屋の照明が暗いときや夜になると、瞳孔はより大きく開く。しかしながら、字幕データを表示するディスプレイ画面の明るさは、通常、いつも同じ明るさであるため、視聴者の目は、周囲の明るさに合わせて瞳孔を調節しながら、一方、常に一定の明るさのディスプレイ画面に合わせるという、両方の明るさにピントを合わせなければならなくなり、両方の明るさの違いが、視聴者の目に対して負担をかけていることが知られている。
【００５８】
そこで、視聴者の視聴時における部屋の明るさ（照度）や騒音などの視聴環境状況に応じて、字幕データの表示形式（画面上の表示位置・文字の種類・大きさ・線の太さ・色合い・文字の影の有無や影の色、文字の背景色、コントラスト・ブライトネス・シャープネスなど）を自動的に調整し、字幕を見易くすることが可能な情報受信・再生装置を提供することが視聴者の負担を軽減するために重要となる。
たとえば、部屋の明るさが暗い場合には、画面上の字幕文字の輝度（ブライトネス）を下げたり、文字の大きさを大きくしたりして、読み易くすることが考えられる。
【００５９】
本実施例１では、視聴環境状況として、明るさセンサーなどから得られる部屋の明るさ（照度）即ち環境明るさデータを基にして、ディスプレイ画面上に提示される字幕データの表示形式の一つである文字サイズが自動的に調整される場合を例にとって説明する。視聴環境状況として得られた環境明るさデータに基づいて、例えば、部屋の明るさが暗い場合には、字幕データの文字サイズを大きくすることにより、ディスプレイ画面上に提示される字幕データが読み易くなることが期待される。逆に、部屋の明るさが明るい場合には、字幕データの文字サイズを標準的なサイズにすることにより、ディスプレイ画面上に提示される字幕データの視認性を維持することができる。
【００６０】
（情報受信・再生装置の基本動作）
以下、前述のように構成された情報受信・再生装置の動作を説明する。まず、図１の情報受信・再生装置１０の基本動作を述べる。
【００６１】
（音声信号処理部１０１）
入力されてくる音声信号は、例えば、図示していないリモコン等の入力手段を用いて視聴者から入力された音声出力レベルや音質などの設定値に応じて、音声信号処理部１０１において、該設定値に合うように音声出力レベルや音質などを制御して音声出力部１０８から出力する。なお、該設定値を、リモコン等で視聴者が指定するだけに限らず、環境情報入力部１０４において検出された視聴環境状況に応じて、制御部１０６において算出された適切な値に自動的に設定するようにしても良い。
【００６２】
（映像信号処理部１０２）
入力されてくる映像信号のうちテレビ画面表示用の映像情報は、例えば、図示していないリモコン等の入力手段を用いて視聴者から入力された映像信号の表示形式に関する設定値に応じて、映像信号処理部１０２において、該設定値に合うように表示形式を処理してテレビ画面表示用の信号として出力して、表示処理部１０７を介して映像出力部１０９から出力する。なお、該設定値を、リモコン等で視聴者が指定するだけに限らず、環境情報入力部１０４において検出された視聴環境状況に応じて制御部１０６において算出された適切な値に自動的に設定するようにしても良い。
【００６３】
（字幕データデコーダ１０３）
入力されてくる放送信号に多重化されている字幕データ（クローズドキャプションデータ）は、例えば、図示していないリモコン等の入力手段を用いて視聴者から入力された字幕データの抽出指示とデコード形式とに関する設定値に応じて、字幕データデコーダ１０３は、該設定値に合うように字幕データ（クローズドキャプションデータ）を抽出し、デコード処理をし、制御部１０６に出力する。なお、該設定値を、リモコン等で視聴者が指定するだけに限らず、環境情報入力部１０４において検出された視聴環境状況に応じて制御部１０６において算出された適切な値に自動的に設定するようにしても良い。
【００６４】
（環境情報入力部１０４）
環境情報入力部１０４は、前述のように、当該情報受信・再生装置１０を視聴する際の周囲の視聴環境（例えば明るさ）を検出し、検出した周囲の視聴環境（明るさ）を環境明るさデータとして環境データ処理部１０５へ出力するための環境データ取得手段の一つであり、カメラやセンサー等から成っている。
なお、カメラやセンサーは、当該情報受信・再生装置１０に固定的に装着しても良いし、あるいは、当該情報受信・再生装置１０が設置されている部屋の天井や壁などに取り付けるようにしても良い。また、カメラやセンサーを視聴者が操作するリモコンに取り付けるようにすれば、視聴者周辺の視聴環境をより正しく検出することができる。
【００６５】
（環境データ処理部１０５）
環境データ処理部１０５は、環境情報入力部１０４から入力されてくる環境明るさデータを認識処理して、制御部１０６にて処理可能なデータに変換して、制御部１０６に対して出力する。
【００６６】
（制御部１０６）
制御部１０６は、字幕データデコーダ１０３において、放送信号から取り出されてデコードされた字幕データについて、環境データ処理部１０５から入力された環境明るさデータに基づいて、例えば、表示文字の大きさを調整し、表示処理部１０７に対して出力し、映像信号処理部１０２からのテレビ画面表示用の信号とＯＳＤ合成させる。
【００６７】
（表示処理部１０７）
表示処理部１０７は、制御部１０６にて表示文字の大きさが調整された字幕データを、映像信号処理部１０２から入力される映像データ即ちテレビ画面表示用の信号と同期を取って重畳し、ＯＳＤ表示として合成し、映像出力部１０９に対して出力する。
【００６８】
（音声出力部１０８）
音声信号処理部１０１にて音声出力レベルを制御された音声信号をスピーカなどの出力装置に出力する。
【００６９】
（映像出力部１０９）
表示処理部１０７において、映像信号処理部１０２からの映像データ即ちテレビ画面表示用の信号と同期を取って、制御部１０６にて処理された字幕データがＯＳＤ合成された結果の映像を液晶ディスプレイなどの出力装置に出力する。
【００７０】
（制御部１０６の動作フローチャート）
ここで、本実施例１における制御部１０６の動作について図３のフローチャートを用いて更に説明する。図３は、本発明に係る情報受信・再生装置の動作の一例を説明するためのフローチャートであり、図１に示す情報受信・再生装置１０の制御部１０６における動作の一例を示している。
【００７１】
情報受信・再生装置１０が起動されると、制御部１０６は、受信されている音声信号と映像信号とを、それぞれ音声信号処理部１０１と映像信号処理部１０２とにより処理して、処理された音声情報と映像情報とを、それぞれ、音声出力部１０８と、表示処理部１０７を介した映像出力部１０９とに出力し、視聴者に対して提示する（ステップＳ１０１）。
【００７２】
このとき、映像信号に多重化されて受信されて、字幕データデコーダ１０３でデコードされた字幕データは、受信された状態のまま、即ち、製作者側等で作成された状態を維持して、ＯＳＤ表示するデータとして処理される。処理された字幕データは表示処理部１０７に出力されて、映像信号処理部１０２からの映像情報とＯＳＤ合成され、映像出力部１０９に出力される。即ち、情報受信・再生装置１０の初期設定状態としては、受信した音声信号や映像信号や字幕データをそのままの出力形式により出力するように設定されている。
【００７３】
次に、制御部１０６は、環境データ処理部１０５から出力されてきた環境明るさデータを時間情報と共に、即ち、本実施例１の場合は、表１に示すように、部屋の明るさ（例えば、表１に示すような照度）に関するデータを時間情報と共に、受信する（ステップＳ１０２）。表１は、情報受信・再生装置１０が設置されている部屋（場所）の明るさを５分間隔の時間の経過毎に例示しており、３月１１日の１６時３０分から１６時４０分まで、いずれも、環境情報入力部１０４のセンサーで検知した照度がやや暗い２４ルクスの明るさである場合を示している。
【００７４】
【表１】
2006005418.tif 000003
【００７５】
制御部１０６は、受信した環境明るさデータ即ち部屋の明るさを基にして、字幕データの表示形式（例えば、文字サイズ）を調整すべきか否かを判断する（ステップＳ１０３）。
【００７６】
字幕データの表示形式（例えば、文字サイズ）の調整を要するか否かの判断は、例えば、当該情報受信・再生装置１０の設置されている部屋の明るさ（照度）に閾値（例えば、２５ルクスや３００ルクス）を設け、その閾値以上の明るさがある場合に（あるいは、閾値に満たない明るさである場合に）、字幕データの表示形式（例えば、文字サイズ）を調整するようにしても良いし、あるいは、当該情報受信・再生装置１０が設置されている部屋の明るさ（照度）の増減度合いに合わせて、字幕データの表示形式（例えば、文字サイズ）を連続的に調整するようにしても良いし、視聴者にとって読み易い表示形式になるような適切な調整方法を適用できるものであれば、如何なる判断方法を用いても良い。
【００７７】
ここでは、字幕データの表示形式（例えば、文字サイズ）の調整をするか否かを判断する閾値として、情報受信・再生装置１０が設置されている部屋の明るさ（照度）を表２に示すように３段階に分割し、各段階に応じて、字幕の表示形式（文字サイズ）を調整する場合を例にとって説明する。即ち、表２においては、閾値として２５ルクスと３００ルクスとの２つを用いて３段階に字幕データの文字サイズを切り替える例を示しており、情報受信・再生装置１０が設置されている部屋の明るさ（照度）が２５ルクス未満であれば、字幕データの文字サイズが大きめのサイズの３６ポイント、２５ルクス以上３００ルクス未満であれば、標準の２４ポイント、３００ルクス以上の明るい環境では小さめのサイズの２０ポイントに設定して表示する場合を示している。
【００７８】
【表２】
2006005418.tif 000004
【００７９】
制御部１０６は、前記の表２に基づいて、字幕データの表示形式（例えば、文字サイズ）を調整すべきか否かを判断し、前記の表１のように、部屋の明るさが第１の閾値である２５ルクスに満たない２４ルクスとやや暗い場合には調整が必要であると判断し（ステップＳ１０３のＹＥＳ）、字幕データの表示形式の一つである文字サイズを、表２のように大き目の３６ポイントに調整し、表示形式を調整した字幕データを、時間情報と共に、表示処理部１０７に対して出力する（ステップＳ１０４）。一方、調整が必要ではないと判断した場合は（ステップＳ１０３のＮＯ）、制御部１０６は、受信してデコードされた字幕データの表示形式をそのまま維持して、時間情報と共に、表示処理部１０７に対して出力する。
【００８０】
表示処理部１０７は、制御部１０６から送られてくる字幕データと映像信号処理部１０２から送られてくる映像データとを、時間情報を基にして同期を取って、字幕データをＯＳＤ表示として映像データに重畳した後（ステップＳ１０５）、映像出力部１０９に対して出力し、画面表示する（ステップＳ１０６）。しかる後、ステップＳ１０２に戻り、次の時間における環境明るさデータの取得動作に復帰する。前述のような処理が、情報受信・再生装置１０の電源を切断して終了するまで、繰り返される。
【００８１】
このように、情報受信・再生装置１０が設置されている部屋の明るさ（照度）に応じて、字幕データの表示形式例えば文字サイズが、自動的に調整されることにより、視聴者にとって読み易い字幕を提示することができるようになる。
勿論、ここに例としてあげた部屋の明るさや文字サイズなどの数値データは、あくまでも一例を示すものであり、これに限るものではない。
【００８２】
前述の実施例１では、字幕データの表示形式のうち、文字サイズを調整することにより、読み易い字幕を表示する例を示したが、本発明は、文字サイズの調整のみに限るものではなく、例えば、画面上における字幕の表示位置（画面上側や下側など）を調整するようにしても良いし、文字の種類（ゴシックや特太ゴシックなどのフォント）を調整するようにしても、あるいは、文字の線の太さ（太字や細字など）を調整するようにしても良い。更には、文字の色合い（黒色のみならず、赤色や青色など）や、文字の影、文字の背景色、文字のコントラストやブライトネスやシャープネスなどを調整するようにしても良い。
【００８３】
更には、これら複数の表示形式のうち、任意の組み合わせによって調整するようにしても良いし、視聴者にとって読み易い表示が得られる字幕の表示形式であれば如何なる調整方法を用いても良い。更には、自動的に調整してしまうのみならず、視聴者に対して字幕が読み易い表示になっているか否かを問い合わせて、視聴者の応答を待って表示形式を調整設定するようにしても良い。
【００８４】
また、前述の実施例１では、環境データ処理部１０５から受信する環境明るさデータの例として、情報受信・再生装置１０が設置されている部屋（場所）の明るさ（照度）に関する環境明るさデータを用いて説明したが、本発明は、部屋の明るさ（照度）に関する環境明るさデータのみに限るものではなく、例えば、情報受信・再生装置１０が設置されている部屋や当該情報受信・再生装置１０に対する外光の入射や反射の有無、当該情報受信・再生装置１０の画面上の明るさ（照度）に関する環境明るさデータを用いたり、情報受信・再生装置１０のディスプレイ画面上の明るさ（照度）、映り込みの有無などの環境明るさデータを用いる場合であっても良い。更には、後述するように、情報受信・再生装置１０が設置されている部屋（場所）の内外の騒音レベルや人の話し声の大きさに関する環境騒音データを用いても良い。更には、これら複数の環境データのうち、任意の組み合わせを用いても良く、センサーやカメラ、マイク等により自動的に取得可能なデータであれば、字幕を読み易くするために、必要とする如何なる環境データを用いるようにしても構わない。
【００８５】
（実施例２）
実施例１においては、環境情報入力部１０４から入力されて、環境データ処理部１０５で処理された環境明るさデータ（即ち情報受信・再生装置１０が設置されている設置場所周辺の視聴環境状況例えば部屋の明るさなど）を基にして、制御部１０６において字幕データの表示形式を調整する場合を例に説明した。
本実施例２では、実施例１における環境データ即ち環境明るさデータに基づく字幕データの調整例とは異なり、視聴者の姿勢及び／又は動き及び／又は位置などの視聴者の行動データに基づく字幕データの調整例について説明する。即ち、情報受信・再生装置が設置されている設置場所周辺の明るさなどの視聴環境を示す環境データではなく、情報受信・再生装置を視聴する視聴者の行動データ即ち視聴行動データを、視聴者の視聴環境を示す環境データの一つとして取得して、該視聴行動データを基にして、字幕を見易くするように字幕データの表示形式を調整する場合について説明する。
【００８６】
ここで、視聴者の姿勢とは、情報受信・再生装置を視聴している視聴者が座って視聴しているとか、立って視聴しているとか、寝転んで視聴しているなどのいずれの状態にあるかを示す情報を含むものであり、また、視聴者の動きとは、情報受信・再生装置を視聴している視聴者がじっと静止して視聴しているとか、歩き回ったりして動きながら視聴しているなどのいずれの状態にあるかを示す情報を含むものであり、また、視聴者の位置とは、視聴している情報受信・再生装置との位置関係のことであり、情報受信・再生装置との間の距離や、情報受信・再生装置の視聴角度などを示す情報を含むものである。いずれについても、例えばカメラにより撮影したり位置センサーにより検知することにより、視聴者の姿勢や動きや位置を自動的に把握することが可能である。
【００８７】
なお、調整対象とする字幕データの表示形式としては、実施例１の場合と同様に、字幕の表示位置、文字の種類、文字の大きさ、文字の線の太さ、文字の色合い、文字の影、文字の背景色、文字のコントラスト、ブライトネス、シャープネスなどいずれか１乃至複数の組み合わせであっても良く、字幕を見易くすることが可能なものであれば如何なる表示形式を用いても良い。
【００８８】
以下では、視聴者の視聴行動データとして、位置センサーなどから得られる視聴者の視聴位置（即ち、視聴者と情報受信・再生装置との間の距離）に応じて、字幕データの表示形式（例えば文字サイズ）が調整される場合を例にとって説明する。例えば、視聴位置が情報受信・再生装置から遠く離れていることが検知された場合には、字幕データの文字サイズを自動的に大きくするように表示形式を調整することにより、視聴者が字幕を読み易くすることが期待できる。
【００８９】
即ち、本実施例２に適用される情報受信・再生装置は、図４に示すように、図１に示した環境情報入力部１０４と環境データ処理部１０５と制御部１０６との代わりに、視聴者の視聴行動を検知する行動情報入力部２０４と行動データ処理部２０５と制御部２０６とを備えて構成されている。ここに、図４は、本発明に係る情報受信・再生装置の基本構成の他の例を示すブロック構成図であり、図４の情報受信・再生装置２０においては、視聴者の行動情報を行動情報入力部２０４と行動データ処理部２０５とにより処理して、制御部２０６に対して出力し、制御部２０６において、行動データ処理部２０５から受信した視聴者の視聴行動データに基づいて字幕データの表示形式を調整することを可能としている。  
【００９０】
（情報受信・再生装置の基本動作）
以下、前述の図４のように構成された情報受信・再生装置２０の基本動作について、図１の情報受信・再生装置１０と異なる回路ブロックを対象にして説明する。
【００９１】
（行動情報入力部２０４）
行動情報入力部２０４は、前述のように、当該情報受信・再生装置２０を視聴する視聴者の視聴行動情報例えば視聴位置（即ち情報受信・再生装置２０との距離）を視聴者の視聴環境を示す環境データの一つとして検出し、検出した視聴者の行動情報例えば視聴位置を行動データ処理部２０５へ出力するための環境データ取得手段の一つであり、カメラやセンサー等から成っている。
なお、視聴者の視聴行動情報を検出するカメラやセンサーは、当該情報受信・再生装置２０に固定的に装着しても良いし、あるいは、当該情報受信・再生装置２０が設置されている部屋の天井や壁などに取り付けるようにしても良い。また、視聴者の動きをカメラで検出する技術としては、例えば、追尾カメラを用いて撮像した映像の時間差分を計算して、動き量を求めることにより、移動の有無及び移動速度を算出する方法などが知られている。
【００９２】
（行動データ処理部２０５）
行動データ処理部２０５は、行動情報入力部２０４から入力される視聴者の視聴行動情報例えば視聴位置データを認識処理して、制御部２０６にて処理可能なデータに変換して、制御部２０６に対して出力する。
【００９３】
（制御部２０６）
本実施例における制御部２０６は、字幕データデコーダ１０３において、放送信号から取り出されてデコードされた字幕データについて、行動データ処理部２０５から入力された視聴者の視聴行動情報例えば視聴位置データに基づいて、例えば、表示文字の大きさを調整し、表示処理部１０７に対して出力し、映像信号処理部１０２からのテレビ画面表示用の信号とＯＳＤ合成させる。
【００９４】
（制御部２０６の動作フローチャート）
本実施例２における制御部２０６の動作について図５のフローチャートを用いて更に説明する。ここに、図５は、本発明に係る情報受信・再生装置の動作の他の例を説明するためのフローチャートであり、図４に示す情報受信・再生装置２０の制御部２０６における動作の一例を示している。
【００９５】
情報受信・再生装置２０が起動されると、制御部２０６は、受信されている音声信号と映像信号とを、それぞれ音声信号処理部１０１と映像信号処理部１０２とにより処理して、処理された音声情報と映像情報とを、それぞれ、音声出力部１０８と、表示処理部１０７を介した映像出力部１０９とに出力し、視聴者に対して提示する（ステップＳ２０１）。
【００９６】
このとき、映像信号に多重化されて受信されて、字幕データデコーダ１０３でデコードされた字幕データは、受信された状態のまま、即ち、製作者側等で作成された状態を維持して、ＯＳＤ表示するデータとして処理される。処理された字幕データは表示処理部１０７に出力されて、映像信号処理部１０２からの映像情報とＯＳＤ合成され、映像出力部１０９に出力される。即ち、情報受信・再生装置２０の初期設定状態としては、受信した音声信号や映像信号や字幕データをそのままの出力形式により出力するように設定されている。
【００９７】
次に、制御部２０６は、行動データ処理部２０５から出力されてきた視聴者の視聴行動データを時間情報と共に、即ち、本実施例２の場合は、表３に示すように、視聴者の視聴位置（即ち、視聴者と情報受信・再生装置との間の距離）に関するデータを時間情報と共に、受信する（ステップＳ２０２）。表３は、視聴者と情報受信・再生装置２０との間の距離を視聴位置として５分間隔の時間の経過毎に例示しており、３月１１日の１６時３０分から１６時４０分まで、いずれも、行動情報入力部２０４のセンサーで検知した視聴距離が２６０ｃｍとやや遠い距離になっている場合を示している。
【００９８】
【表３】
2006005418.tif 000005
【００９９】
制御部２０６は、受信した視聴行動データ即ち視聴距離（視聴位置）を基にして、字幕データの表示形式（例えば、文字サイズ）を調整すべきか否かを判断する（ステップＳ２０３）。
【０１００】
字幕データの表示形式（例えば、文字サイズ）の調整を要するか否かの判断は、例えば、当該情報受信・再生装置２０と視聴者との間の視聴距離に閾値（例えば、１５０ｃｍや２５０ｃｍ）を設け、その閾値以上の距離がある場合に（あるいは、閾値に満たない距離である場合に）、字幕データの表示形式（例えば、文字サイズ）を調整するようにしても良いし、あるいは、当該情報受信・再生装置２０と視聴者との間の視聴距離の増減度合いに合わせて、字幕データの表示形式（例えば、文字サイズ）を連続的に調整するようにしても良いし、視聴者にとって読み易い表示形式になるような適切な調整方法を適用できるものであれば、如何なる判断方法を用いても良い。
【０１０１】
ここでは、字幕データの表示形式（例えば、文字サイズ）の調整をするか否かを判断する閾値として、視聴者と情報受信・再生装置２０との間の視聴距離を表４に示すように３段階に分割し、各段階に応じて、字幕の表示形式（文字サイズ）を調整する場合を例にとって説明する。即ち、表４においては、閾値として１５０ｃｍと２５０ｃｍとの２つの視聴距離を用いて３段階に字幕データの文字サイズを切り替える例を示しており、視聴者と情報受信・再生装置２０との間の視聴距離が２５０ｃｍ以上に遠く離れた距離であれば、字幕データの文字サイズが大きめのサイズの３６ポイント、１５０ｃｍ以上２５０ｃｍ未満であれば、標準の２４ポイント、１５０ｃｍ未満の近い距離であれば小さめのサイズの２０ポイントに設定して表示する場合を示している。
【０１０２】
【表４】
2006005418.tif 000006
【０１０３】
制御部２０６は、前記の表４に基づいて、字幕データの表示形式（例えば、文字サイズ）を調整すべきか否かを判断し、前記の表３のように、視聴者と情報受信・再生装置２０との間の視聴距離が第２の閾値である２５０ｃｍ以上に離れた２６０ｃｍとやや遠い位置にいる場合には調整が必要であると判断し（ステップＳ２０３のＹＥＳ）、字幕データの表示形式の一つである文字サイズを、表４のように大き目の３６ポイントに調整し、表示形式を調整した字幕データを、時間情報と共に、表示処理部１０７に対して出力する（ステップＳ２０４）。一方、調整が必要ではないと判断した場合は（ステップＳ２０３のＮＯ）、制御部２０６は、受信してデコードされた字幕データの表示形式をそのまま維持して、時間情報と共に、表示処理部１０７に対して出力する。
【０１０４】
表示処理部１０７は、制御部２０６から送られてくる字幕データと映像信号処理部１０２から送られてくる映像データとを、時間情報を基にして同期を取って、字幕データをＯＳＤ表示として映像データに重畳した後（ステップＳ２０５）、映像出力部１０９に対して出力し、画面表示する（ステップＳ２０６）。しかる後、ステップＳ２０２に戻り、次の時間における視聴行動データの取得動作に復帰する。前述のような処理が、情報受信・再生装置２０の電源を切断して終了するまで、繰り返される。
【０１０５】
このように、視聴者と情報受信・再生装置２０との間の距離（視聴位置）に応じて、字幕データの表示形式例えば文字サイズが、自動的に調整されることにより、視聴者にとって読み易い字幕を提示することができるようになる。
勿論、ここに例としてあげた視聴距離や文字サイズなどの数値データは、あくまでも一例を示すものであり、これに限るものではない。
【０１０６】
前述の実施例２では、字幕データの表示形式のうち、文字サイズを調整することにより、読み易い字幕を表示する例を示したが、本発明は、前述の実施例１の場合と同様に、文字サイズの調整のみに限るものではなく、例えば、画面上における字幕の表示位置（画面上側や下側など）、文字の種類（ゴシックや特太ゴシックなどのフォント）、文字の線の太さ（太字や細字など）、文字の色合い（黒色のみならず、赤色や青色など）や、文字の影、文字の背景色、文字のコントラストやブライトネスやシャープネスなどを調整するようにしても良い。
【０１０７】
また、これら複数の表示形式のうち、任意の組み合わせによって調整するようにしても良いし、視聴者にとって読み易い表示が得られる字幕の表示形式であれば如何なる調整方法を用いても良い。更には、自動的に調整してしまうのみならず、視聴者に対して字幕が読み易い表示になっているか否かを問い合わせて、視聴者の応答を待って表示形式を調整設定するようにしても良い。
【０１０８】
また、前述の実施例２では、行動データ処理部２０５から受信する視聴行動データの例として、視聴者と情報受信・再生装置２０との視聴位置（視聴距離）に関する視聴行動データを用いて説明したが、本発明は、視聴位置に関する視聴行動データのみに限るものではなく、例えば、視聴者が視聴する情報受信・再生装置２０との間の視聴角度のような視聴位置情報を用いても良いし、また、視聴者が静止して視聴しているか動きながら視聴しているかを示すような視聴者の動き情報を用いても良い。
【０１０９】
更には、視聴者が座って視聴しているか、立って視聴しているか、あるいは、寝転んで視聴しているかなどのような視聴者の姿勢情報を用いても良い。更には、これら複数の視聴行動データのうち、任意の組み合わせを用いても良く、センサーやカメラ、マイク等により自動的に取得可能なデータであれば、字幕を読み易くするために、必要とする如何なる視聴行動データを用いるようにしても構わない。
【０１１０】
なお、図４に示す情報受信・再生装置２０を用いる本実施例２においては、行動情報入力部２０４から入力される視聴者の視聴時の姿勢や動き、位置などの視聴行動データのみを基に、字幕データの表示形式を調整することを説明したが、実施例１において前述した図１の環境情報入力部１０４から入力される環境データ例えば環境明るさデータと併用して、字幕データの表示形式を調整するようにしても良い。
【０１１１】
このような視聴行動データと環境明るさデータとの両者のデータを併用する場合、環境明るさデータから判定される字幕データの表示形式の調整値と、視聴行動データから判定される字幕データの表示形式の調整値とが異なる場合、視聴行動データと環境明るさデータとのうちいずれか一方の予め定めたデータから判定される表示形式の調整値を優先させる方法や、両者の調整値の中間値を取る方法、あるいは、算出された調整値の大きい（又は小さい）方を取る方法など、いずれを用いても良い。あるいは、環境データ例えば環境明るさデータと視聴行動データとを統合して扱うことにして調整値を決定することも考えられる。
【０１１２】
（実施例３）
本実施例３では、実施例１や実施例２のような字幕データのみの調整例とは異なり、環境データ（環境明るさデータや環境騒音データなど）や視聴者の視聴行動データに基づいて、字幕データと共に、コンテンツ（放送番組）の映像情報や音声情報も合わせて調整する例について説明する。
【０１１３】
具体的には、情報受信・再生装置が設置されている部屋の環境状況例えば部屋の明るさなどや部屋内外の騒音レベルを基にして、字幕データの表示形式を調整するのみならず、場合によっては、コンテンツ（放送番組）の映像情報や音声情報の調整も可能とし、もって、視聴者にとって字幕を読み易くすると同時に、必要に応じて、コンテンツの視聴についても最適な状態で映像を表示し、また、音声を出力することも可能とするものである。即ち、情報受信・再生装置が設置されている設置場所周辺の視聴環境状況例えば部屋の明るさなどや部屋内外の騒音レベルを基にして、字幕データの表示形式のみを調整するようにしても良いし、あるいは、更に、コンテンツ（放送番組）の映像情報や音声情報をも調整するようにしても良い。
【０１１４】
ここに、設置場所である部屋の視聴環境状況例えば部屋の明るさなどについては、前述の実施例１の場合と同様に、部屋の明るさ（照度）に関する環境明るさデータのみに限るものではなく、例えば、情報受信・再生装置が設置されている部屋や当該情報受信・再生装置に対する外光の入射や反射の有無に関する環境データ即ち環境明るさデータを用いたり、情報受信・再生装置１０のディスプレイ画面上の明るさ（照度）、映り込みの有無などの環境明るさデータを用いても良い。一方、部屋内外の騒音レベルについては、情報受信・再生装置が設置されている部屋の空調機や掃除機やパソコンや電話機やＦＡＸなどの設置機器から発出される騒音あるいは視聴者を含む人の話し声、あるいは、戸外からの車両、呼び出しベル、拡声器などの雑音、更には、騒音源の種類別に分類された騒音に関する環境データ即ち環境騒音データを用いても良い。
【０１１５】
また、調整対象とする字幕データの表示形式としては、実施例１や実施例２の場合と同様に、字幕の表示位置、文字の種類、文字の大きさ、文字の線の太さ、文字の色合い、文字の影、文字の背景色、文字のコントラスト、ブライトネス、シャープネスなどいずれか１乃至複数の組み合わせであっても良く、字幕を見易くすることが可能なものであれば如何なる表示形式を用いても良い。
【０１１６】
また、調整対象とするコンテンツの映像の表示形式については、映像の表示位置、表示サイズ、色合い、解像度、輝度などのいずれか１乃至複数の組み合わせで調整するものであり、映像を見易くすることが可能なものであれば如何なる表示形式を用いても良く、更には、コンテンツの映像の調整により、字幕をより見易くすることを可能としても良い。一方、調整対象とするコンテンツの音声の出力形式については、音量レベルのみならず、音質、増減幅すべき調整周波数帯域に関する周波数スペクトルなどのいずれか１乃至複数の組み合わせで調整するものであり、音声を聞き易くすることが可能なものであれば如何なる出力形式を用いても良い。
【０１１７】
以下では、視聴時の視聴環境として情報受信・再生装置が設置されている部屋の騒音の大きさ（ｄＢ）を環境騒音データとして取得して、調整対象の字幕データの表示形式として文字の大きさを、また、更に、調整対象のコンテンツの音声の出力形式として音量を調整する場合を例にとって説明する。例えば、情報受信・再生装置が設置されている部屋にある電話機のベル音が鳴動していることを検出した場合は、字幕データの文字サイズを大きくし、更に、コンテンツの音声データの音量を小さく又は大きくすることにより、字幕を読み易くすると共に、コンテンツ（放送番組）の内容を聞き逃すことなく、楽しむことができる。
【０１１８】
即ち、本実施例３に適用される情報受信・再生装置は、図６に示すように、図１に示した部屋の明るさ（照度）を検出する環境情報入力部１０４と環境データ処理部１０５と制御部１０６との代わりに、騒音レベルを環境騒音データとして検出する環境情報入力部３０４と環境データ処理部３０５と制御部３０６とを備え、また、音声信号を処理する音声信号処理部１０１と表示処理部１０７と音声出力部１０８と映像出力部１０９との代わりに、音声信号処理部３０１と出力処理部３０７と音声出力部３０８と映像出力部３０９とを備えて構成されている。ここに、図６は、本発明に係る情報受信・再生装置の基本構成の更に異なる例を示すブロック構成図である。
【０１１９】
図６の情報受信・再生装置３０においては、当該情報受信・再生装置３０が設置されている設置場所内外に存在する騒音源が発出する騒音レベルや視聴者を含む人の話し声などの雑音の大きさを環境騒音データとして情報情報入力部３０４にて検出して環境データ処理部３０５により処理して、制御部３０６に対して出力する。制御部３０６においては、環境データ処理部３０５から受信した騒音レベルを示す環境騒音データに基づいて字幕データの表示形式を調整すると共に、音声信号を処理した音声信号処理部３０１からの音声データを騒音レベルに応じて処理して音量レベルを調整することを可能としている。調整された字幕データと音声データとは、出力処理部３０７に対して出力され、それぞれ、映像出力部３０９と音声出力部３０８に対して出力される。
【０１２０】
（情報受信・再生装置の基本動作）
以下、前述の図６のように構成された情報受信・再生装置３０の基本動作について、図１、図２の情報受信・再生装置１０，２０と異なる回路ブロックを対象にして説明する。
【０１２１】
（音声信号処理部３０１）
入力されてくる音声信号は、例えば、図示していないリモコン等の入力手段を用いて視聴者から入力された音声出力レベルや音質などの設定値に応じて、音声信号処理部３０１において、該設定値に合うように音声出力レベルや音質などを制御して制御部３０６に対して出力する。なお、該設定値を、リモコン等で視聴者が指定することなく、環境情報入力部３０４において検出された視聴環境状況に応じて、制御部３０６においてのみ直接算出された適切な値に自動的に設定するようにしても良い。
【０１２２】
（環境情報入力部３０４）
環境情報入力部３０４は、前述のように、当該情報受信・再生装置３０を視聴する際の部屋内外の騒音レベル（例えば、電話機のベルの音量）を検出し、検出した騒音レベルを環境データ即ち環境騒音データとして環境データ処理部１０５へ出力するための環境データ取得手段の一つであり、マイクやセンサー等から成っている。
なお、マイクやセンサーは、当該情報受信・再生装置３０に固定的に装着しても良いし、あるいは、当該情報受信・再生装置３０が設置されている部屋の天井や壁などに取り付けるようにしても良い。また、マイクやセンサーを視聴者が操作するリモコンに取り付けるようにすれば、視聴環境としての視聴者周辺の騒音レベルをより正しく検出することができる。
【０１２３】
（環境データ処理部３０５）
環境データ処理部３０５は、環境情報入力部３０４から入力されてくる環境騒音データを認識処理して、制御部３０６にて処理可能なデータに変換して、制御部３０６に対して出力する。
【０１２４】
（制御部３０６）
制御部３０６は、字幕データデコーダ１０３において、放送信号から取り出されてデコードされた字幕データの表示形式（例えば文字の大きさ）と音声信号処理部３０１から入力される音声情報の出力形式（例えば出力レベル）について、環境データ処理部３０５から入力された環境騒音データに基づいて、字幕データの表示形式例えば表示文字の大きさや音声情報の出力形式例えば出力レベルを調整し、出力処理部３０７に対して出力し、字幕データは映像信号処理部１０２からのテレビ画面表示用の信号とＯＳＤ合成させ、一方、音声情報は音声出力部３０８に対して出力させる。
【０１２５】
（出力処理部３０７）
出力処理部３０７は、制御部３０６にて例えば表示文字の大きさが調整された字幕データを、映像信号処理部１０２から入力される映像データ即ちテレビ画面表示用の信号と同期を取って重畳し、ＯＳＤ表示として合成し、映像出力部３０９に対して出力する一方、制御部３０６にて例えば出力レベルが調整された音声情報を、映像信号処理部１０２から入力される映像データと同期を取って音声出力部３０８に対して出力する。
【０１２６】
（音声出力部３０８）
制御部３０６にて出力レベルを調整されて、出力処理部３０７にて分離された音声情報をスピーカなどの出力装置に出力する。
【０１２７】
（映像出力部３０９）
出力処理部３０７において、映像信号処理部１０２からの映像データ即ちテレビ画面表示用の信号と同期を取って、制御部３０６にて処理された字幕データがＯＳＤ合成された結果の映像を液晶ディスプレイなどの出力装置に出力する。
【０１２８】
（制御部３０６の動作フローチャート）
本実施例３における制御部３０６の動作について図７のフローチャートを用いて更に説明する。ここに、図７は、本発明に係る情報受信・再生装置の動作の更に異なる例を説明するためのフローチャートであり、図６に示す情報受信・再生装置３０の制御部３０６における動作の一例を示している。
【０１２９】
情報受信・再生装置３０が起動されると、制御部３０６は、受信されている音声信号と映像信号とを、それぞれ音声信号処理部３０１と映像信号処理部１０２とにより処理して、処理された音声情報と、処理された映像情報とを、それぞれ、制御部３０６，出力処理部３０７を介した音声出力部３０８と、出力処理部３０７を介した映像出力部１０９とに出力する（ステップＳ３０１）。
【０１３０】
このとき、映像信号に多重化されて受信されて、字幕データデコーダ１０３でデコードされた字幕データは、受信された状態のまま、即ち、製作者側等で作成された状態を維持して、ＯＳＤ表示するデータとして処理される。処理された字幕データは表示処理部１０７に出力されて、映像信号処理部１０２からの映像情報とＯＳＤ合成され、映像出力部１０９に出力される。また、受信された音声情報も、同様に、受信された状態のまま、即ち、製作者側等で作成された状態を維持して、制御部３０６，出力処理部３０７において処理されて、音声出力部３０８に出力される。即ち、情報受信・再生装置３０の初期設定状態としては、受信した音声信号や映像信号や字幕データをそのままの出力形式により出力するように設定されている。
【０１３１】
次に、制御部３０６は、環境データ処理部３０５から出力されてきた視聴者周囲の騒音レベル（音量：ｄＢ）を環境データ即ち環境騒音データとして時間情報と共に、即ち、本実施例３の場合は、表５に示すように、視聴者周囲の環境騒音（音量：ｄＢ）（即ち、情報受信・再生装置３０が設置されている設置場所周辺の騒音レベル）に関するデータを時間情報と共に、環境騒音データとして受信する（ステップＳ３０２）。表５は、情報受信・再生装置３０が設置されている部屋の騒音レベルを環境騒音として５分間隔の時間の経過毎に例示しており、３月１１日の１６時３０分から１６時４０分まで、それぞれ、環境情報入力部３０４のマイクやセンサーで検知された環境騒音が、６２ｄＢ，６５ｄＢ，６４ｄＢと比較的高い騒音レベルにある場合を示している。
【０１３２】
【表５】
2006005418.tif 000007
【０１３３】
制御部３０６は、受信した環境データ即ち環境騒音データを基にして、字幕データの表示形式（例えば、文字サイズ）及び音声出力レベルを調整すべきか否かを判断する（ステップＳ３０３）。
【０１３４】
字幕データの表示形式（例えば、文字サイズ）及び音声出力レベルの調整を要するか否かの判断は、例えば、当該情報受信・再生装置３０が設置されている部屋の騒音レベル即ち環境騒音レベルに閾値（例えば、４０ｄＢや６０ｄＢ）を設け、その閾値以上の騒音レベルにある場合に（あるいは、閾値に満たない騒音レベルである場合に）、字幕データの表示形式（例えば、文字サイズ）及び音声出力レベルを調整するようにしても良いし、あるいは、当該情報受信・再生装置３０が設置されている部屋の騒音レベルの増減度合いに合わせて、字幕データの表示形式（例えば、文字サイズ）及び音声出力レベルを連続的に調整するようにしても良いし、視聴者にとって読み易い字幕の表示形式、聞き取り易い音声の出力レベルになるような適切な調整方法を適用できるものであれば、如何なる判断方法を用いても良い。
【０１３５】
ここでは、字幕データの表示形式（例えば、文字サイズ）及び音声出力レベルの調整をするか否かを判断する閾値として、情報受信・再生装置３０が設置されている部屋の騒音レベル即ち環境騒音を表６に示すように３段階に分割し、各段階に応じて、字幕の表示形式（文字サイズ）及び音声出力レベルを調整する場合を例にとって説明する。即ち、表６においては、閾値として４０ｄＢと６０ｄＢとの２つの環境騒音レベルを用いて３段階に字幕データの文字サイズ及び音声出力レベルを切り替える例を示している。
【０１３６】
即ち、情報受信・再生装置３０が設置されている部屋の騒音レベルが６０ｄＢ以上に及ぶ高いレベルであれば、字幕データの文字サイズが大きめのサイズの３６ポイント、音声の出力レベルが１０ｄＢに、４０ｄＢ以上６０ｄＢ未満であれば、字幕データの文字サイズが標準の２４ポイント、音声の出力レベルが標準の７０ｄＢに、また、４０ｄＢ未満の低い騒音レベルであれば、字幕データの文字サイズが小さめのサイズの２０ポイント、音声の出力レベルがやや低めの６０ｄＢに、それぞれ設定して出力する場合を示している。
【０１３７】
【表６】
2006005418.tif 000008
【０１３８】
制御部３０６は、前記の表６に基づいて、字幕データの表示形式（例えば、文字サイズ）及び音声出力レベルを調整すべきか否かを判断し、前記の表５のように、当該情報受信・再生装置３０が設置されている部屋の騒音レベルが第２の閾値である６０ｄＢ以上に高い６２ｄＢ，６５ｄＢ，６４ｄＢとやや騒々しい環境にある場合には調整が必要であると判断し（ステップＳ３０３のＹＥＳ）、字幕データの表示形式の一つである文字サイズを、表６のように大き目の３６ポイントに調整した字幕データを、また、音声情報の出力レベルを、表６のように小さめの出力レベルの１０ｄＢに調整した音声データを、時間情報と共に、出力処理部３０７に対して出力する（ステップＳ３０４）。一方、調整が必要ではないと判断した場合は（ステップＳ３０３のＮＯ）、制御部３０６は、受信してデコードされた字幕データと受信されている音声情報の出力形式をそのまま維持して、時間情報と共に、出力処理部３０７に対して出力する。
【０１３９】
なお、前記表６においては、視聴者周囲の騒音即ち当該情報受信・再生装置３０が設置されている部屋の騒音レベルが第２の閾値である６０ｄＢ以上に大きくなった場合、音声情報の出力レベルを１０ｄＢに低減するように調整する例を示している。しかし、かかる場合に限るものではなく、例えば、大きな騒音レベルを出力している騒音源の種類を認識することにより、該騒音源が視聴者の話し声などであることが検知された場合には、音声情報の出力レベルを、視聴者の話し声以上のレベルまで逆に増加させるように調整することにしても良い。
【０１４０】
出力処理部３０７は、制御部３０６から送られてくる字幕データと映像信号処理部１０２から送られてくる映像データとを、時間情報を基にして同期を取って、字幕データをＯＳＤ表示として映像データに重畳すると共に（ステップＳ３０５）、制御部３０６から送られてくる音声情報も、時間情報を基にして、映像信号処理部１０２から送られてくる映像データと同期合わせをして（ステップＳ３０６）、それぞれ、映像出力部３０９と音声出力部３０８とに対して出力し、画面表示すると共に音声出力する（ステップＳ３０７）。しかる後、ステップＳ３０２に戻り、次の時間における環境騒音データの取得動作に復帰する。前述のような処理が、情報受信・再生装置３０の電源を切断して終了するまで、繰り返される。
【０１４１】
なお、前述した図６及び図７を用いた実施例３においては、字幕データの表示形式とコンテンツ（放送番組）の音声情報の出力形式とを環境騒音レベルに応じて調整する場合を示したが、前述したように、音声情報の出力形式の調整を施すことなく、字幕データの表示形式のみを調整することとしても良いし、あるいは、場合によっては、コンテンツ（放送番組）の映像情報の表示形式を調整するようにしても良い。更には、かくのごとく映像情報の表示形式を調整する場合、字幕データの表示形式との組み合わせのみで双方を調整するようにしても良いし、字幕データと音声情報との双方の出力形式をも含めて調整するようにしても構わない。
【０１４２】
このように、視聴時の視聴者周囲の騒音レベル即ち当該情報受信・再生装置３０が設定されている設置場所周辺の環境騒音のレベルに応じて、字幕データの表示形式例えば文字サイズ及び／又はコンテンツ（放送番組）の音声情報の出力形式例えば出力音量レベル、及び／又は、コンテンツの映像情報の表示形式例えば表示位置などが、自動的に調整されることにより、視聴者にとって読み易い字幕を提示することができると共に、視聴し易いコンテンツの提供ができるようになる。
勿論、ここに例としてあげた環境騒音レベルや音量レベルなどの数値データは、あくまでも一例を示すものであり、これに限るものではない。
【０１４３】
前述の実施例３では、字幕データの表示形式のうち、文字サイズを調整することにより、読み易い字幕を表示する例を示したが、本発明は、前述の実施例１や実施例２の場合と同様に、文字サイズの調整のみに限るものではなく、例えば、画面上における字幕の表示位置（画面上側や下側など）、文字の種類（ゴシックや特太ゴシックなどのフォント）、文字の線の太さ（太字や細字など）、文字の色合い（黒色のみならず、赤色や青色など）や、文字の影、文字の背景色、文字のコントラストやブライトネスやシャープネスなどを調整するようにしても良い。
【０１４４】
また、これら複数の表示形式のうち、任意の組み合わせによって調整するようにしても良いし、視聴者にとって読み易い表示が得られる字幕の表示形式であれば如何なる調整方法を用いても良い。更には、自動的に調整してしまうのみならず、視聴者に対して字幕が読み易い表示になっているか否かを問い合わせて、視聴者の応答を待って表示形式を調整設定するようにしても良い。
【０１４５】
また、前述の実施例３では、コンテンツの音声情報の出力形式のうち、出力音量レベルを調整することにより、聞き取り易い音声を出力する例を示したが、本発明は、出力音量レベルの調整のみに限るものではなく、例えば、音質や、増減幅すべき調整周波数帯域に関する周波数スペクトルなどのいずれか１乃至複数の組み合わせで調整することも可能であり、コンテンツの音声を聞き易くすることが可能なものであれば如何なる出力形式を用いても良い。更には、自動的に調整してしまうのみならず、視聴者に対して音声が聞き取り易い状態になっているか否かを問い合わせて、視聴者の応答を待って出力形式を調整設定するようにしても良い。
【０１４６】
また、前述の実施例３では具体的に説明していないが、コンテンツの映像情報の表示形式についても調整可能であり、例えば、映像の表示位置、表示サイズ、色合い、解像度、輝度などのいずれか１乃至複数の組み合わせで調整することも可能であり、コンテンツの映像を見易くすることが可能なものであれば如何なる表示形式を用いても良く、更には、コンテンツの映像の調整により、字幕をより見易くすることを可能としても良い。更には、自動的に調整してしまうのみならず、視聴者に対して映像が見易い状態になっているか否かを問い合わせて、視聴者の応答を待って表示形式を調整設定するようにしても良い。
【０１４７】
また、前述の実施例３では、環境データ処理部３０５から受信する環境データの例として、情報受信・再生装置３０が設置されている部屋の環境騒音レベル（例えば、電話機のベル音）を用いて説明したが、本発明は、かくのごとき環境騒音レベルのみに限るものではなく、部屋の空調機や掃除機やパソコンや電話機やＦＡＸなどの設置機器から発出される騒音あるいは人の話し声、あるいは、戸外からの車両、呼び出しベル、拡声器などの雑音など、設置場所内外の騒音源からの騒音や視聴者を含む人の話し声のような雑音、更には、騒音源の種類別に分類された騒音を用いるようにしても良い。更には、これら複数の環境騒音データのうち、任意の組み合わせを用いても良く、センサーやマイク等により自動的に取得可能なデータであれば、字幕を読み易くするために、及び／又は、音声情報を聞き取り易くするために、必要とする如何なる環境騒音データを用いるようにしても構わない。
【０１４８】
なお、図６に示す情報受信・再生装置３０を用いる本実施例３においては、環境情報入力部３０４から入力される電話機のベル音や人の話し声などの騒音レベル（即ち環境騒音）のみを基にして、字幕データの表示形式や音声情報の出力形式を調整する場合について説明した。しかし、本発明は、かかる場合のみに限るものではなく、実施例１において前述した図１の環境情報入力部１０４から入力される環境データ即ち環境明るさデータ（部屋の明るさなど）と併用して、字幕データの表示形式や音声情報の出力形式や映像情報の表示形式を調整するようにしても良いし、更には、実施例２において前述した図４の行動情報入力部２０４から入力される視聴行動データ（視聴者の位置、動き、姿勢など）と併用して、字幕データの表示形式や音声情報の出力形式や映像情報の表示形式を調整するようにしても良い。
【０１４９】
このような環境騒音データと環境明るさデータと視聴行動データとのいずれか複数のデータを併用する場合、例えば、環境騒音データから判定される字幕データの表示形式の調整値と、環境明るさデータから判定される字幕データの表示形式の調整値と、視聴行動データから判定される字幕データの表示形式の調整値とがそれぞれ異なるような場合、環境騒音データと環境明るさデータと視聴行動データとのうちいずれか予め定めたデータから判定される出力形式の調整値を優先させる方法や、それぞれの調整値の中間値を取る方法、あるいは、それぞれに算出された調整値の大きい（又は小さい）方を取る方法など、いずれを用いても良い。あるいは、環境騒音データと環境明るさデータと視聴行動データとを統合して扱うことにして調整値を決定することも考えられる。
【０１５０】
（実施例４）
本実施例４では、実施例１乃至３のような環境明るさデータや視聴行動データや環境騒音データに基づいて、字幕データの表示形式や、必要に応じて、コンテンツ（放送番組）の音声情報の出力形式や映像情報の表示形式を調整する場合とは異なり、コンテンツと共に受信されるメタ情報（即ち、放送番組のジャンルや番組内容などを示す番組情報）に基づいて、字幕データの表示形式や、必要に応じて、コンテンツ（放送番組）の音声情報の出力形式や映像情報の表示形式を調整する例について説明する。
【０１５１】
例えば、国際的な民間標準化団体の一つである「ＴＶ  Ａｎｙｔｉｍｅ  Ｆｏｒｕｍ」においては、「ＴＶ  Ａｎｙｔｉｍｅ」と称する規格の中で、メタ情報（メタデータ）の標準化を進めている。ここで、メタ情報（メタデータ）とは、コンテンツ（放送番組）と一緒に送信されるものであり、放送番組のジャンルや番組内容などを示す番組情報からなり、放送番組を識別するための情報が含まれている。例えば、メタ情報には、放送番組のタイトル，放送番組識別ＩＤ，放送番組ジャンル，放送番組内容，放送番組の編成情報，放送番組制作日，放送番組の放送時間，放送番組制作者，放送番組演出者，放送番組出演者、及び、放送番組権利関連情報などが含まれている。更に、放送番組毎に一つのメタ情報という形式のみでなく、放送番組内のシーン毎にそれぞれメタ情報を付与する技術も開発されつつある。
【０１５２】
そこで、本実施例４に適用される情報受信・再生装置は、図８に示すように、図６に示した環境騒音を検出する環境情報入力部３０４と環境データ処理部３０５と制御部３０６との代わりに、受信した放送信号の中からメタ情報を取得するメタ情報入力部４０４とメタデータ処理部４０５と制御部４０６とを備えて構成されている場合について説明する。ここに、図８は、本発明に係る情報受信・再生装置の基本構成の更に異なる例を示すブロック構成図である。
【０１５３】
図８の情報受信・再生装置４０においては、当該情報受信・再生装置４０にて受信した放送信号の中からメタ情報入力部４０４にて前述のごとき各種データを含むメタ情報のうち、いずれか１乃至複数のデータを取得して、メタデータ処理部４０５に出力し、メタデータ処理部４０５にて、制御部４０６において処理可能な形式にメタ情報を解析処理して、制御部４０６に対して出力する。制御部４０６においては、メタデータ処理部４０５から受信したメタデータに基づいて字幕データの表示形式を調整すると共に、音声信号を処理した音声信号処理部３０１からの音声データをメタデータに応じて処理して音量レベルを調整することを可能としている。調整された字幕データと音声データとは、出力処理部３０７に対して出力され、それぞれ、映像出力部３０９と音声出力部３０８に対して出力される。
【０１５４】
例えば、制御部４０６は、メタデータ処理部４０５から受信したメタデータに基づいて当該コンテンツ（放送番組）のジャンルがスリラーであることが判明した場合には、字幕の文字の色合いをくすんだ色にし、文字の種類を揺らいだ書体（お化け屋敷で見かけるような書体）のフォントに変換して、出力処理部３０７に対して出力する。一方、当該コンテンツ（放送番組）のジャンルがコメディであることが判明した場合には、字幕の文字の色合いを明るい色にし、文字の種類をマンガ文字のような丸みを帯びた書体（面白さを増大するような書体）のフォントに変換して、出力処理部３０７に対して出力する。更には、メタデータ処理部４０５から受信したメタデータに基づいて、当該コンテンツ（放送番組）全体を通して、字幕データの表示形式を調整するようにしても良いし、当該コンテンツ（放送番組）の各シーン毎の内容に応じて動的に調整するようにしても良い。
【０１５５】
（情報受信・再生装置の基本動作）
以下、前述の図８のように構成された情報受信・再生装置４０の基本動作について、図１乃至図３の情報受信・再生装置１０乃至３０と異なる回路ブロックを対象にして説明する。
【０１５６】
（メタ情報入力部４０４）
メタ情報入力部４０４は、前述のように、当該情報受信・再生装置４０において受信した放送信号としてコンテンツ（放送番組）と共に受信しているメタ情報を抽出して取得する手段である。
【０１５７】
（メタデータ処理部４０５）
メタデータ処理部４０５は、メタ情報入力部４０４から入力されてくるメタ情報を解析処理して、制御部４０６にて処理可能なデータ形式に変換して、制御部４０６に対して出力する。
【０１５８】
（制御部４０６）
制御部４０６は、字幕データデコーダ１０３において、放送信号から取り出されてデコードされた字幕データの表示形式（例えば文字の大きさ）と音声信号処理部３０１から入力される音声情報の出力形式（例えば出力レベル）について、メタデータ処理部４０５から入力されたメタデータに基づいて、字幕データの例えば表示文字の大きさや音声情報の例えば出力レベルを調整し、出力処理部３０７に対して出力し、字幕データは映像信号処理部１０２からのテレビ画面表示用の信号とＯＳＤ合成させ、一方、音声情報は音声出力部３０８に対して出力させる。
【０１５９】
このように、コンテンツ（放送番組）と共に受信されるメタ情報（メタデータ）に応じて、字幕データの表示形式や音声情報の出力形式を調整することにより、番組内容の雰囲気を損なうことなく、あるいは、番組内容の恐怖度や面白さ等を更に増長することが可能である。
【０１６０】
なお、前述した図８を用いた実施例４においては、字幕データの表示形式とコンテンツ（放送番組）の音声情報の出力形式とを受信したメタデータに応じて調整する場合を示したが、実施例３と同様に、音声情報の出力形式の調整を施すことなく、字幕データの表示形式のみを調整することとしても良いし、あるいは、場合によっては、コンテンツ（放送番組）の映像情報の表示形式を調整するようにしても良い。かくのごとく映像情報の表示形式を調整する場合、字幕データの表示形式の組み合わせのみで双方を調整するようにしても良いし、字幕データと音声情報との双方の出力形式をも含めて調整するようにしても構わない。
【０１６１】
このように、受信したメタデータに応じて、字幕データの表示形式例えば文字サイズ及び／又はコンテンツ（放送番組）の音声情報の出力形式例えば出力音量レベル、及び／又は、コンテンツの映像情報の表示形式例えば表示位置などが、自動的に調整されることにより、視聴者にとって読み易くかつ番組の雰囲気を損なうことがない字幕を提示することができると共に、視聴し易くかつ番組内容の雰囲気を更に助長可能なコンテンツの提供ができるようになる。
【０１６２】
また、実施例４においても、実施例１乃至実施例３の場合と同様、文字サイズの調整のみに限らず、例えば、画面上における字幕の表示位置（画面上側や下側など）、文字の種類（ゴシックや特太ゴシックなどのフォント）、文字の線の太さ（太字や細字など）、文字の色合い（黒色のみならず、赤色や青色など）や、文字の影、文字の背景色、文字のコントラストやブライトネスやシャープネスなどを調整するようにしても良いし、これら複数の表示形式のうち、任意の組み合わせによって調整するようにしても良いし、視聴者にとって読み易くかつ番組の雰囲気を損なわない表示が得られる字幕の表示形式であれば如何なる調整方法を用いても良い。更には、自動的に調整してしまうのみならず、視聴者に対して字幕が読み易くかつ番組の雰囲気を損なわない表示になっているか否かを問い合わせて、視聴者の応答を待って表示形式を調整設定するようにしても良い。
【０１６３】
また、実施例４でも、コンテンツの音声情報の出力形式のうち、出力音量レベルの調整のみならず、例えば、音質や、増減幅すべき調整周波数帯域に関する周波数スペクトルなどのいずれか１乃至複数の組み合わせで調整することも可能であり、コンテンツの音声を聞き易くかつ番組の雰囲気を助長することが可能なものであれば如何なる出力形式を用いても良い。更には、自動的に調整してしまうのみならず、視聴者に対して音声が聞き取り易くかつ番組の雰囲気を助長可能な状態になっているか否かを問い合わせて、視聴者の応答を待って出力形式を調整設定するようにしても良い。
【０１６４】
また、実施例４においても、前述の実施例３と同様に、コンテンツの映像情報の表示形式についても調整可能であり、例えば、映像の表示位置、表示サイズ、色合い、解像度、輝度などのいずれか１乃至複数の組み合わせで調整することも可能であり、コンテンツの映像を見易くかつ番組の雰囲気を助長することが可能なものであれば如何なる表示形式を用いても良く、更には、コンテンツの映像の調整により、字幕をより見易くかつ番組の雰囲気を損なうことがないようにすることを可能としても良い。更には、映像を自動的に調整してしまうのみならず、視聴者に対して映像が見易くかつ番組の雰囲気を助長可能な状態になっているか否かを問い合わせて、視聴者の応答を待って表示形式を調整設定するようにしても良い。
【０１６５】
なお、図８に示す情報受信・再生装置４０を用いる本実施例４においては、メタ情報入力部４０４から入力されるメタ情報のみを基にして、字幕データの表示形式や音声情報の出力形式を調整する場合について説明した。しかし、本発明は、かかる場合のみに限るものではなく、実施例１において前述した図１の環境情報入力部１０４から入力される環境明るさデータ（部屋の明るさなど）と併用して、字幕データの表示形式や音声情報の出力形式や映像情報の表示形式を調整するようにしても良い。
【０１６６】
更には、実施例２において前述した図４の行動情報入力部２０４から入力される視聴行動データ（視聴者の位置、動き、姿勢など）と併用して、字幕データの表示形式や音声情報の出力形式や映像情報の表示形式を調整するようにしても良い。更には、実施例３において前述した図６の環境情報入力部３０４から入力される電話機のベル音や人の話し声などの騒音レベル（即ち環境騒音データ）と併用して、字幕データの表示形式や音声情報の出力形式や映像情報の表示形式を調整するようにしても良い。
【０１６７】
このようなメタデータと環境明るさデータと視聴行動データと環境騒音データとのいずれか複数のデータを併用する場合、例えば、メタデータから判定される字幕データの表示形式の調整値と、環境明るさデータから判定される字幕データの表示形式の調整値と、視聴行動データから判定される字幕データの表示形式の調整値と、環境騒音データから判定される字幕データの表示形式の調整値とがそれぞれ異なるような場合、メタデータと環境明るさデータと視聴行動データと環境騒音データとのうちいずれか予め定めたデータから判定される出力形式の調整値を優先させる方法や、それぞれの調整値の中間値を取る方法、あるいは、それぞれに算出された調整値の大きい（又は小さい）方を取る方法など、いずれを用いても良い。あるいは、メタデータと環境明るさデータと視聴行動データと環境騒音データとを統合して扱うことにして調整値を決定することも考えられる。
【図面の簡単な説明】
【０１６８】
【図１】本発明に係る情報受信・再生装置の基本構成の一例を示すブロック構成図である。
【図２】本発明に係る情報受信・再生装置の具体的なシステム構成の一例を示すブロック構成図である。
【図３】本発明に係る情報受信・再生装置の動作の一例を説明するためのフローチャートである。
【図４】本発明に係る情報受信・再生装置の基本構成の他の例を示すブロック構成図である。
【図５】本発明に係る情報受信・再生装置の動作の他の例を説明するためのフローチャートである。
【図６】本発明に係る情報受信・再生装置の基本構成の更に異なる例を示すブロック構成図である。
【図７】本発明に係る情報受信・再生装置の動作の更に異なる例を説明するためのフローチャートである。
【図８】本発明に係る情報受信・再生装置の基本構成の更に異なる例を示すブロック構成図である。
【符号の説明】
【０１６９】
１…ＣＰＵ、２…ワークメモリ、３…入力部、４…データベース、５…表示部、６…音声出力部、７…外部記憶ドライブ、８…外部記憶（記録媒体）、９…受信部、１０，２０，３０，４０…情報受信・再生装置、１０１…音声信号処理部、１０２…映像信号処理部、１０３…字幕データデコーダ、１０４…環境情報入力部、１０５…環境データ処理部、１０６…制御部、１０７…表示処理部、１０８…音声出力部、１０９…映像出力部、２０４…行動情報入力部、２０５…行動データ処理部、２０６…制御部、３０１…音声信号処理部、３０４…環境情報入力部、３０５…環境データ処理部、３０６…制御部、３０７…出力処理部、３０８…音声出力部、映像出力部３０９、４０４…メタ情報入力部、４０５…メタデータ処理部、４０６…制御部。
【図１】
2006005418.tif 000009
【図２】
2006005418.tif 000010
【図３】
2006005418.tif 000011
【図４】
2006005418.tif 000012
【図５】
2006005418.tif 000013
【図６】
2006005418.tif 000014
【図７】
2006005418.tif 000015
【図８】
2006005418.tif 000016